(57)【要約】【課題】番組の視聴を妨げずにマルチビューサービスの提供に気づかせ、操作により表示させる映像の変更を促す。【解決手段】検出部は受信したデータから１つの番組で複数の映像が提供されるマルチビューサービスの存在を検出し、通知部は前記複数の映像間で表示させる映像が操作により変更可能であることを示す通知情報を前記マルチビューサービスの期間の一部において出力する。本発明は、受信装置、放送システム、受信方法、及びプログラムとしても実施することができる。【選択図】図６
2016092719.tif 000002
【特許請求の範囲】
【請求項１】
受信したデータから１つの番組で複数の映像が提供されるマルチビューサービスの存在を検出する検出部と、  
前記複数の映像間で表示させる映像が操作により変更可能であることを示す通知情報を前記マルチビューサービスの期間の一部において出力する通知部と、
を備える受信装置。
【請求項２】
前記期間の一部は、前記検出部が前記マルチビューサービスの提供番組の開始を検出した時点からの所定の継続時間内の期間である請求項１に記載の受信装置。
【請求項３】
前記期間の一部は、前記検出部が前記マルチビューサービスの提供番組の開始を検出した時点から所定の経過時間後からの所定の継続時間内の期間である請求項１に記載の受信装置。
【請求項４】
前記検出部は、前記受信したデータに前記マルチビューサービスの提供の有無を示すマルチビューサービス信号が含まれるとき、前記マルチビューサービスの存在を検出する請求項１から請求項３のいずれか一項に記載の受信装置。
【請求項５】
前記通知部は、前記マルチビューサービスの提供番組が継続されるとき、前記通知情報を所定の時間間隔で出力する請求項１から４のいずれか一項に記載の受信装置。
【請求項６】
前記通知部は、前記検出部が前記マルチビューサービスの提供番組の中断を検出するとき、前記通知情報の出力を停止する請求項１から５のいずれか一項に記載の受信装置。
【請求項７】
データを送信する送信装置と、前記データを受信する受信装置とを備える放送システムであって、
前記受信装置は、
受信したデータから１つの番組で複数の映像が提供されるマルチビューサービスの存在を検出する検出部と、  
前記複数の映像間で表示させる映像が操作により変更可能であることを示す通知情報を前記マルチビューサービスの期間の一部において出力する通知部と、
を備える放送システム。
【請求項８】
受信装置における受信方法であって、
受信したデータから１つの番組で複数の映像が提供されるマルチビューサービスの存在を検出する検出過程と、  
前記複数の映像間で表示させる映像が操作により変更可能であることを示す通知情報を前記マルチビューサービスの期間の一部において出力する通知過程と、
を有する受信方法。
【請求項９】
受信装置のコンピュータに、
受信したデータから１つの番組で複数の映像が提供されるマルチビューサービスの存在を検出する手順、  
前記複数の映像間で表示させる映像が操作により変更可能であることを示す通知情報を前記マルチビューサービスの期間の一部において出力する手順、
を実行させるためのプログラム。
【発明の詳細な説明】
【技術分野】
【０００１】
本発明は、受信装置、放送システム、受信方法及びプログラムに関する。
【背景技術】
【０００２】
従来から、１つの番組において複数のカメラアングルからの映像が同時に伝送されるマルチビューサービスがあった。マルチビューサービスでは、複数の映像から表示させる映像を選択することが可能である。例えば、ユーザーは、リモートコントローラ等のデバイスを操作すると、主となる映像から副となる映像へ表示させる映像を切り替えることができる。
【０００３】
次世代テレビジョン放送サービス、例えば、４Ｋ、８Ｋ超高解像度テレビジョン放送（ＵＨＤＴＶ：Ｕｌｔｒａ  Ｈｉｇｈ  Ｄｅｆｉｎｉｔｉｏｎ  Ｔｅｌｅｖｉｓｉｏｎ）では、マルチビューサービスが提供される。マルチビューサービスの提供中において、ユーザーにマルチビューサービスが行われていることを知得させることが考えられる。例えば、主となる映像から副となる映像への切り替えが可能であることを示すボタンをマルチビューサービスの開始から最後まで表示させる方法や、テキストにより番組情報を表示させる方法がある。
【先行技術文献】
【特許文献】
【０００４】
【特許文献１】特開２０１０−１６１４９３号公報
【発明の概要】
【発明が解決しようとする課題】
【０００５】
前者では、視聴中の映像にボタンを重ね合わせて表示させるため、番組の視聴の妨げになるという課題がある。後者では、ユーザーがマルチビューサービスの存在に気付きにくいので、映像の切り替え操作に至らないという課題がある。
【課題を解決するための手段】
【０００６】
本発明は、上記の課題を解決するためになされたものであり、本発明の一態様は、受信したデータから１つの番組で複数の映像が提供されるマルチビューサービスの存在を検出する検出部と、前記複数の映像間で表示させる映像が操作により変更可能であることを示す通知情報を前記マルチビューサービスの期間の一部において出力する通知部と、を備える受信装置である。
【発明の効果】
【０００７】
本発明によれば、番組の視聴を妨げずにマルチビューサービスの提供に気づかせ、操作により表示させる映像の変更を促すことができる。
【図面の簡単な説明】
【０００８】
【図１】第１の実施形態に係る放送システムの構成を示すブロック図である。
【図２】第１の実施形態に係る送信装置の構成を示すブロック図である。
【図３】ＭＰＴの例を示す図である。
【図４】ＭＨ−コンポーネントグループ記述子の例を示す図である。
【図５】コンポーネントグループの設定例を示す図である。
【図６】第１の実施形態に係る受信装置の構成を示すブロック図である。
【図７】第１の実施形態に係る制御部の構成を示すブロック図である。
【図８】通知情報の表示例を示す図である。
【図９】第１の実施形態に係る受信処理を示すフローチャートである。
【図１０】ＭＨ−ＥＩＴの例を示す図である。
【図１１】第２の実施形態に係る受信処理を示すフローチャートである。
【図１２】第３の実施形態に係る受信処理を示すフローチャートである。
【図１３】第４の実施形態に係る受信処理を示すフローチャートである。
【図１４】第５の実施形態に係る受信処理を示すフローチャートである。
【図１５】第６の実施形態に係る受信処理を示すフローチャートである。
【図１６】第７の実施形態に係る受信処理を示すフローチャートである。
【発明を実施するための形態】
【０００９】
（第１の実施形態）
本発明の第１の実施形態について、図面を参照しながら説明する。
図１は、本実施形態に係る放送システム１の構成を示すブロック図である。放送システム１は、送信装置１１と、受信装置３１とを含んで構成される。送信装置１１は、放送事業者が有する放送設備を構成する。受信装置３１は、送信装置１１から放送される放送番組を受信し、受信した放送番組の映像を表示し、当該放送番組の音声を再生する。受信装置３１は、各家庭や事業所等に設置される。
【００１０】
送信装置１１は、放送番組を表す番組データを、放送伝送路１２を介して受信装置３１に送信する。番組データは、例えば、音声データと、映像データとを含む。番組データは、１つの映像データに限らず、同時に複数の映像データを含むことがある（マルチビューサービス）。複数の映像データは、例えば、互いに異なる視点（カメラアングル）で撮像又は観察された映像を表すデータである。これら複数の映像データが１つの番組データに含まれる期間が、その番組におけるマルチビューサービスの提供期間に相当する。
【００１１】
放送伝送路１２は、送信装置１１が送信する各種のデータを同時に不特定多数の受信装置３１に一方向的に伝送する伝送路である。放送伝送路１２は、例えば、放送衛星１３で中継される所定の周波数帯域の電波（放送波）である。放送伝送路１２の一部には、通信回線、例えば、送信装置１１から電波を送信するための送信設備までの通信回線が含まれてもよい。
【００１２】
受信装置３１は、送信装置１１から放送伝送路１２を介して受信した番組データに基づく番組の映像を表示し、当該番組の音声を再生する。受信装置３１は、送信装置１１から受信した各種のデータから１つの番組で複数の映像が提供されるマルチビューサービスの存在を検出したとき、複数の映像間で表示させる映像が操作により変更可能であることを示す通知情報をマルチビューサービスの提供期間の一部において出力する。受信装置３１は、例えば、テレビジョン受信装置、映像記録装置、等、テレビジョン放送を受信することができる機能を有する電子機器である。
この構成により、通知情報が出力される期間がマルチビューサービスの提供期間の一部に限られる。そのため、ユーザーは通知情報による番組の視聴が妨げられず、マルチビューサービスの提供に気づき、操作により表示させる映像の変更がユーザーに促すことを両立することができる。
【００１３】
（送信装置の構成）
次に、本実施形態に係る送信装置１１の構成について説明する。
図２は、本実施形態に係る送信装置１１の構成を示すブロック図である。送信装置１１は、番組データ生成部１１１、構成情報生成部１１２、多重化部１１３、暗号化部１１４及び送信部１１５を含んで構成される。
【００１４】
番組データ生成部１１１は、放送番組を構成する映像を示す映像データと音声を示す音声データを取得する。番組データ生成部１１１は、所定の映像符号化方式で符号化された映像データを取得する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単に、ＨＥＶＣとも呼ばれる）で規格化された方式である。番組データ生成部１１１は、１つの番組において互いに視点が異なる映像を示す映像データを取得することができる。また、番組データ生成部１１１は、所定の音声符号化方式で符号化された音声データを取得する。所定の音声符号化方式は、例えば、ＩＳＯ／ＩＥＣ  １４４９６  Ｐａｒｔ３（単に、ＭＰＥＧ−４オーディオとも呼ばれる）で規定された音声符号化方式である。番組データ生成部１１１は、取得した映像データと音声データから所定の形式の番組データを生成し、生成した番組データを多重化部１１３に出力する。所定の形式の番組データは、例えば、ＩＳＯ／ＩＥＣ  ２３００８  Ｐａｒｔ１  ＭＭＴ（ＭＰＥＧ  Ｍｅｄｉａ  Ｔｒａｎｓｐｏｒｔ、単にＭＭＴとも呼ばれる）で規定されたＭＰＵ（Ｍｅｄｉａ  Ｐｒｏｃｅｓｓｉｎｇ  Ｕｎｉｔ）である。各ＭＰＵには、映像や音声の復号処理を行うことができる単位の映像データ又は音声データが含まれる。
【００１５】
構成情報生成部１１２には、放送番組や放送に伴って提供されるサービスを構成するための情報である構成要素情報を取得する。構成要素情報は、放送番組やサービスの構成要素であるアセット、つまり、映像、音声等のリストや、それらの諸要件を示す情報、例えば、番組においてマルチビューサービスが存在するか否かを示す情報を含む。構成情報生成部１１２は、取得した構成要素情報から所定の形式の構成情報を生成し、生成した構成情報を多重化部１１３に出力する。所定の形式の構成情報は、例えば、ＭＭＴ−ＳＩ（ＭＭＴ−Ｓｙｓｔｅｍ  Ｉｎｆｏｒｍａｔｉｏｎ）を構成するＭＰＴ（ＭＭＴ  Ｐａｃｋａｇｅ  Ｔａｂｌｅ）である。ＭＰＴの例については後述する。
【００１６】
多重化部１１３は、番組データ生成部１１１から入力された番組データ、及び構成情報生成部１１２から入力された取得情報を多重化して、所定の形式（例えば、ＴＬＶ（Ｔｙｐｅ  Ｌｅｎｇｔｈ  Ｖａｌｕｅ）パケット）の多重化データを生成する。多重化部１１３は、生成した多重化データを暗号化部１１４に出力する。
暗号化部１１４は、多重化部１１３から入力された多重化データを所定の暗号化方式（例えば、ＡＥＳ（Ａｄｖａｎｃｅｄ  Ｅｎｃｒｙｐｔｉｏｎ  Ｓｔａｎｄａｒｄ））を用いて暗号化する。暗号化部１１４は、暗号化した多重化データを送信部１１５に出力する。
送信部１１５は、暗号化部１１４から入力された多重化データを受信装置３１に放送伝送路１２を介して送信する。ここで、送信部１１５は、ベースバンド信号である多重化データで所定の搬送周波数を有する搬送波を変調させて、搬送周波数に対応したチャネル帯域の電波（放送波）をアンテナ（図示せず）により放射する。
【００１７】
（ＭＰＴのデータ構造）
次に、構成情報に含まれるＭＰＴの例について説明する。
図３は、ＭＰＴの例を示す図である。図３に示す例では、ＭＰＴは、ＭＰＴ記述子領域（ＭＰＴ＿ｄｅｓｃｒｉｐｔｏｒｓ＿ｂｙｔｅ）とアセット毎にアセットタイプ（ａｓｓｅｔ＿ｔｙｐｅ）を含む。ＭＰＴ記述子領域（ＭＰＴ＿ｄｅｓｃｒｉｐｔｏｒｓ＿ｂｙｔｅ）は、ＭＰＴの記述子が記述される領域である。マルチビューサービスを提供する場合には、構成情報生成部１１２は、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））を生成し、生成したＭＨ−コンポーネントグループ記述子（ＭＨ−Ｃｏｍｐｏｎｅｎｔ＿Ｇｒｏｕｐ＿Ｄｅｓｃｒｉｐｔｏｒ（））をＭＰＴ記述子領域（ＭＰＴ＿ｄｅｓｃｒｉｐｔｏｒｓ＿ｂｙｔｅ）に含める。マルチビューサービスを提供しない場合には、構成情報生成部１１２は、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））を生成しない。アセットタイプ（ａｓｓｅｔ＿ｔｙｐｅ）には、アセットの種類を示す符号が記述される。構成情報生成部１１２は、アセットタイプ（ａｓｓｅｔ＿ｔｙｐｅ）として、例えば、ＨＥＶＣで符号化された映像データを示すｈｃｖ１と、ＭＰＥＧ−４オーディオで符号化された音声データを示すｍｐ４ａを記述する。
【００１８】
（ＭＨ−コンポーネントグループ記述子のデータ構造）
次に、ＭＨ−コンポーネントグループ記述子の例について説明する。
図４は、ＭＨ−コンポーネントグループ記述子の例を示す図である。図４に示す例では、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））は、コンポーネントグループ種別（ｃｏｍｐｏｎｅｎｔ＿ｇｒｏｕｐ＿ｔｙｐｅ）、グループ数（ｎｕｍｂｅｒ＿ｏｆ＿ｇｒｏｕｐ）、コンポーネントグループ識別（ｃｏｍｐｏｎｅｎｔ＿ｇｒｏｕｐ＿ｉｄ）、コンポーネントタグ値（ｃｏｍｐｏｎｅｎｔ＿ｔａｇ）、及びコンポーネント記述（ｔｅｘｔ＿ｃｈａｒ）を含む。コンポーネントグループ種別（ｃｏｍｐｏｎｅｎｔ＿ｇｒｏｕｐ＿ｔｙｐｅ）には、本記述子で指定されるコンポーネントグループの種別を示す符号が記述される。放送によりマルチビューサービスを提供する場合には、構成情報生成部１１２は、マルチビューサービスを示す符号‘０００’をコンポーネントグループ種別（ｃｏｍｐｏｎｅｎｔ＿ｇｒｏｕｐ＿ｔｙｐｅ）を記述する。グループ数（ｎｕｍｂｅｒ＿ｏｆ＿ｇｒｏｕｐ）は、イベント内でのコンポーネントグループの数、つまりマルチビューサービスにおいて提供される映像の数が記述される。コンポーネントグループ識別（ｃｏｍｐｏｎｅｎｔ＿ｇｒｏｕｐ＿ｉｄ）は、コンポーネントグループ個々を識別する番号が記述される。コンポーネントグループ識別（ｃｏｍｐｏｎｅｎｔ＿ｇｒｏｕｐ＿ｉｄ）として、例えば、メイングループ（主映像等）‘０ｘ０’、サブグループ（副映像等）‘０ｘ１’−‘０ｘＦ’のいずれかが記述される。コンポーネントグループ識別（ｃｏｍｐｏｎｅｎｔ＿ｇｒｏｕｐ＿ｉｄ）により、マルチビューサービスを構成する個々の映像データが識別される。コンポーネントタグ値（ｃｏｍｐｏｎｅｎｔ＿ｔａｇ）には、各コンポーネントグループに属するコンポーネント、つまり構成要素となるデータを指示するコンポーネントタグ値が記述される。コンポーネント記述（ｔｅｘｔ＿ｃｈａｒ）には、各コンポーネントグループに関する説明を表すテキストが記述される。なお、「…識別」とは、その事物を識別する情報を意味し、「識別子」とも呼ばれる。
【００１９】
（コンポーネントグループの設定例）
次に、主映像と副映像の２つの映像Ｖ０、Ｖ１からなるマルチビューサービスが提供される場合を例にして、構成情報生成部１１２による各コンポーネントグループの設定例について説明する。
図５は、コンポーネントグループの設定例を示す図である。図５に示す例では、第２、３行に、主映像、副映像それぞれのコンポーネントグループの設定を示す。主映像について、コンポーネントグループ識別（ｃｏｍｐｏｎｅｎｔ＿ｇｒｏｕｐ＿ｉｄ）として、メイングループであることを示す符号‘０ｘ０’、コンポーネント記述（ｔｅｘｔ＿ｃｈａｒ）として「通常放送」が設定されている。コンポーネントタグ値（ｃｏｍｐｏｎｅｎｔ＿ｔａｇ）として、映像Ｖ０及び音声Ａ０が設定されている。副映像について、コンポーネントグループ識別（ｃｏｍｐｏｎｅｎｔ＿ｇｒｏｕｐ＿ｉｄ）として、サブグループであることを示す符号‘０ｘ１’、コンポーネント記述（ｔｅｘｔ＿ｃｈａｒ）として「トップ集団」が設定されている。コンポーネントタグ値（ｃｏｍｐｏｎｅｎｔ＿ｔａｇ）として、映像Ｖ１及び音声Ａ０が設定されている。図５に示す例では、映像Ｖ０、Ｖ１のそれぞれについて、共通の音声Ａ０が対応付けられているが、これには限られない。映像Ｖ０、Ｖ１のそれぞれについて、異なる音声、例えば、音声Ａ０、Ａ１が対応付けられてもよい。
【００２０】
（受信装置の構成）
次に、受信装置３１の構成について説明する。図６は、本実施形態に係る受信装置３１の構成を示すブロック図である。受信装置３１は、受信部３１１（チューナー）、復号部３１２、分離部３１３、音声復号部３１４、再生部３１５、映像復号部３１６、表示部３１７、記憶部３２２、操作入力部３２３、及び制御部３３１を含んで構成される。
【００２１】
受信部３１１は、送信装置１１が送信した放送波を、放送伝送路１２を介してアンテナ（図示せず）により受信する。受信部３１１は、放送波として受信したチャネル帯域の受信信号をベースバンド信号にダウンコンバートして多重化データに変換する。受信部３１１は、変換した多重化データを復号部３１２に出力する。
復号部３１２は、受信部３１１から入力された多重化データ（暗号化されている）を、送信装置１１の暗号化部１１４で用いられた方式に対応する復号方式（例えば、ＡＥＳ）で復号し、復号した多重化データを生成する。復号部３１２は、生成した多重化データを分離部３１３に出力する。
【００２２】
分離部３１３は、復号部３１２から入力された多重化データを番組データ及び構成情報に分離する。分離部３１３は、構成情報を制御部３３１に出力する。また、分離部３１３は、番組データから音声データと映像データを抽出する。分離部３１３は、抽出した音声データを音声復号部３１４に出力し、映像データを映像復号部３１６に出力する。
【００２３】
音声復号部３１４は、分離部３１３から入力された音声データを、符号化に用いられた符号化方式（例えば、ＭＰＥＧ−４  オーディオ）と対応する復号方式で復号し、元の音声データを生成する。復号した音声データは、各時刻における音声のレベルを示すデータである。音声復号部３１４は、復号した音声データを再生部３１５に出力する。
再生部３１５は、音声復号部３１４から入力された音声データに基づく音声を再生する。再生部３１５は、例えば、スピーカを含んで構成される。
【００２４】
映像復号部３１６は、分離部３１３から入力された映像データを、符号化に用いられた符号化方式（例えば、ＨＥＶＣ）と対応する復号方式で入力された映像データを復号し、元の映像データを生成する。復号した映像データは、各時刻における映像（フレーム画像）を形成する信号値を示すデータである。映像復号部３１６は、復号した映像データを表示部３１７に出力する。
【００２５】
マルチビューサービスが提供される場合には、映像復号部３１６に複数の視点の映像を示す映像データが入力される。また、映像復号部３１６には、制御部３３１から映像選択信号が入力されることがある。映像選択信号は、複数の視点の映像のうちのいずれかの映像を指示する信号である。映像復号部３１６は、入力された複数の映像のうち、制御部３３１から入力された映像選択信号が示す映像を選択する。そして、映像復号部３１６から選択した映像を示す元の映像データを表示部３１７に出力する。よって、選択された映像が表示部３１７に表示される。なお、映像選択信号が入力されない場合には、映像復号部３１６は、所定の映像、例えば、主映像を示す元の映像データを表示部３１７に出力する。
【００２６】
表示部３１７は、映像復号部３１６から入力された映像データに基づく映像を表示する。表示部３１７は、ディスプレイ、例えば、液晶ディスプレイ、有機ＥＬ（Ｅｌｅｃｔｒｏｌｕｍｉｎｅｓｃｅｎｃｅ）ディスプレイ、等を含んで構成される。また、表示部３１７には、制御部３３１から通知情報が入力されることがある。通知情報は、ある１つの番組においてマルチビューサービスを構成する複数の映像のうち、表示部３１７に表示させる映像がユーザーの操作により変更可能であることを示す情報である。表示部３１７は、入力された映像データが示す映像に、入力された通知情報を重畳し、通知情報が重畳した映像を表示する。表示部３１７に表示された通知情報を視認したユーザーには、マルチビューサービスの存在と、複数の視点の映像のいずれかが表示させる映像として選択可能であること、が通知される。
【００２７】
記憶部３２２は、各種のデータを記憶する。記憶部３２２は、記憶媒体、例えば、ＨＤＤ（Ｈａｒｄ−ｄｉｓｋ  Ｄｒｉｖｅ）、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）又はそれらの組み合わせを含んで構成される。
操作入力部３２３は、ユーザーによる操作入力を受け付けて生成される操作信号を取得し、取得した操作信号を制御部３３１に出力する。操作信号は、例えば、電源のオン／オフを示す信号、マルチビューサービスが提供されている場合に、表示させる映像として主映像、副映像のいずれを示す信号、放送波のチャネルを示す信号、がある。操作入力部３２３は、例えば、操作ボタン、リモートコントローラから操作信号を受信する入力インタフェース、等である。
【００２８】
制御部３３１は、受信装置３１の種々の動作を制御する。例えば、制御部３３１は、分離部３１３から入力された構成情報から１つの番組で複数の映像が提供されるマルチビューサービスの存在を検出する。マルチビューサービスの存在を検出した場合、制御部３３１は、当該サービス期間の一部、例えば、当該サービスの開始時から所定の継続時間内（例えば、３秒）において通知情報を表示部３１７に出力する。
【００２９】
（制御部の構成）
次に、本実施形態に係る制御部３３１の構成について説明する。図７は、本実施形態に係る制御部３３１の構成を示すブロック図である。制御部３３１は、サービス検出部３３２、サービス通知部３３３、及び映像選択部３３４を含んで構成される。
【００３０】
サービス検出部３３２は、分離部３１３から入力された構成情報からＭＰＴを検出し、検出したＭＰＴに基づいてマルチビューサービスが提供されるか否かを判定する。ここで、サービス検出部３３２は、ＭＰＴのＭＰＴ記述子領域（ＭＰＴ＿ｄｅｓｃｒｉｐｔｏｒｓ＿ｂｙｔｅ）にＭＨ−コンポーネントグループ記述子（ＭＨ−Ｃｏｍｐｏｎｅｎｔ＿Ｇｒｏｕｐ＿Ｄｅｓｃｒｉｐｔｏｒ（））が記述されているか否かを判定する。当該記述子が記述されている場合、サービス検出部３３２は、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））において、複数のコンポーネントグループ識別（ｃｏｍｐｏｎｅｎｔ＿ｇｒｏｕｐ＿ｉｄ）のそれぞれについて、それぞれ異なる映像データを示すコンポーネントタグ値（ｃｏｍｐｏｎｅｎｔ＿ｔａｇ）が記述されているか否かを判定する。サービス検出部３３２は、当該タグ値が記述されている場合、マルチビューサービスが提供されると判定し、記述されていない場合、マルチビューサービスが提供されないと判定する。
【００３１】
サービス通知部３３３は、マルチビューサービスが提供される期間の一部において、上述した通知情報を表示部３１７に出力する。ここで、サービス検出部３３２によりマルチビューサービスが提供されていると判定されたとき、サービス通知部３３３は、予め記憶された通知情報を記憶部３２２から読み取り、読み取った通知情報を表示部３１７に出力する。マルチビューサービスが提供されていないと判定されたとき、サービス通知部３３３は、通知情報の出力を停止する。サービス通知部３３３が通知情報を出力する期間は、例えば、マルチビューサービスが提供された番組の開始時から所定の継続時間内（例えば、３秒）である。これにより、マルチビューサービスの存在がユーザーによる番組に対する関心が高い時間帯である番組開始の初期段階に効果的に通知される。また、通知情報が表示される期間が所定の継続時間内に制限されるのでユーザーによる番組の視聴が通知情報の表示によって妨害されない。また、マルチビューサービスが提供される番組の開始時には、次の場合がある。（１）受信装置３１が同一のチャンネルで継続して番組データを受信する状況において新たな番組が開始されたとき、（２）番組データを受信するチャンネルが
は切り替えられたとき、切り替えられたチャンネルでマルチビューサービスが提供される番組に係る番組データの受信を開始したとき、（３）受信装置３１の起動直後にマルチビューサービスが提供される番組に係る受信データの受信を開始したとき。
【００３２】
映像選択部３３４は、マルチビューサービスが提供されている間、複数の視点の映像データのうち操作入力部３２３から入力された操作信号に基づいて映像データを選択する。映像選択部３３４は、選択した映像データを示す映像選択信号（例えば、主映像／副映像）を映像復号部３１６に出力する。これにより、選択された映像データに係る映像が表示される。
【００３３】
（通知情報の表示例）
次に、表示部３１７に表示される通知情報の表示例について説明する。
図８は、通知情報の表示例を示す図である。図８（ａ）に示す例は、主映像の表示中に表示される通知情報の一例（通知情報４２）である。通知情報４２は、表示部３１７の表示面Ｄの中心部よりも１つの頂点（左下端）に近接した位置に表示されているボタンである。この位置に通知情報４２が表示されることで、ユーザーによる番組の視聴が妨害されない。
通知情報４２に付された「副映像」の文字は、副映像が存在し、副映像が操作により選択可能であることを示す。そこで、通知情報４２が押下された場合には、映像選択部３３４は、副映像を示す映像選択信号を生成し、生成した映像選択信号を映像復号部３１６に出力する。ここで、「押下」とは、その表示領域内の位置が操作入力部３２３から入力される操作信号で指示されることを意味する。例えば、表示部３１７がタッチパネルとして構成されている、「押下」とはユーザーの操作により接触することを意味する。また、副映像が複数存在する場合には、通知情報４２は副映像のそれぞれについて表示されてもよい。なお、通知情報４２が押下された場合には、主映像と副映像とが、表示面Ｄ内の分割された領域（マルチウィンドウ）に表示されてもよい。
【００３４】
なお、記憶部３２２には、通知情報４２の他に通知情報４３を予め記憶しておいてもよい。通知情報４３は、副映像が表示部３１７に表示されている期間の一部又は全部において表示される情報である。図８（ｂ）に示す例では、通知情報４３は、「主映像」の文字を含む。「主映像」の文字は主映像が存在し、主映像が操作により選択可能であることを示す。そこで、副映像が表示部３１７に表示されているときに、サービス通知部３３３は、通知情報４３を記憶部３２２から読み取り、読み取った通知情報４３を表示部３１７に出力する。従って、ユーザーには、主映像が存在し、主映像が操作により選択可能であることが通知される。そのため、映像選択部３３４は、操作信号が入力される毎に、選択する映像を主映像、副映像、主映像、副映像、と巡回的に変更可能であり、選択する映像が変更される毎に、選択可能な映像を示す通知情報が変更可能になる。これにより、ユーザーは、逐次に操作入力を繰り返すという簡便な操作により、複数の視点の映像から所望の映像を選択することができる。
【００３５】
（受信処理）
次に、本実施形態に係る受信処理について説明する。
図９は、本実施形態に係る受信処理を示すフローチャートである。
（ステップＳ１０１）受信部３１１は、送信装置１１が送信した放送波を受信し、受信した放送波をベースバンド信号にダウンコンバートして多重化データ（暗号化されている）に変換する。復号部３１２は、受信部３１１で変換された多重化データを復号して、復号した多重化データを生成する。分離部３１３は、復号により得られた多重化データを番組データと構成情報に分離する。その後、ステップＳ１０２に進む。
（ステップＳ１０２）制御部３３１のサービス検出部３３２は、分離された構成情報からＭＰＴを検出し、検出したＭＰＴを解析し複数の映像を有する番組が放送されるサービスであるマルチビューサービスが提供されるか否かを判定する。その後、ステップＳ１０３に進む。
（ステップＳ１０３）サービス検出部３３２は、マルチビューサービスが提供されると判定した場合（ステップＳ１０３  ＹＥＳ）、ステップＳ１０４に進む。マルチビューサービスが提供されないと判定した場合（ステップＳ１０３  ＮＯ）、図９に示す処理を終了する。
【００３６】
（ステップＳ１０４）制御部３３１のサービス通知部３３３は、マルチビューサービスの提供に係るお知らせを準備する。具体的には、サービス検出部３３２は、マルチビューサービスが提供される番組の開始時刻を分離部３１３から入力された構成情報を参照することによって判定し、サービス通知部３３３は、当該番組の開始時刻になる前に通知情報を記憶部３２２から読み取る。その後、ステップＳ１０５に進む。
（ステップＳ１０５）サービス通知部３３３は、現時刻が当該番組の開始時刻になったか否かを判定する。当該番組の開始時刻になったと判定されたとき（ステップＳ１０５  ＹＥＳ）、ステップＳ１０６に進む。当該番組の開始時刻になっていないと判定されたとき（ステップＳ１０５  ＮＯ）、ステップＳ１０５の処理を繰り返す。
【００３７】
（ステップＳ１０６）サービス通知部３３３は、読み取った通知情報を表示部３１７に出力する。表示部３１７は、通知情報、つまりマルチビューサービスの提供に係るお知らせの表示を開始する。その後、ステップＳ１０７に進む。
（ステップＳ１０７）サービス通知部３３３は、通知情報の出力開始から所定の継続時間（例えば、３秒）が経過したか否かを判定する。経過したと判定されたとき（ステップＳ１０７  ＹＥＳ）に進み、経過していないと判定されたとき（ステップＳ１０７  ＮＯ）、ステップＳ１０７の処理を繰り返す。
（ステップＳ１０８）サービス通知部３３３は、通知情報の出力を停止し、表示部３１７に表示させたマルチビューサービスの提供に係るお知らせの表示を消去する。その後、図９に示す処理を終了する。
【００３８】
以上に説明したように、本実施形態に係る受信装置３１は、受信した構成情報のうちＭＰＴから１つの番組で複数の映像が提供されるマルチビューサービスの存在を検出するサービス検出部３３２を備える。また、受信装置３１は、複数の映像間で表示させる映像が操作により変更可能であることを示す通知情報をマルチビューサービスの期間の一部において表示部３１７に出力するサービス通知部３３３を備える。
この構成により、マルチビューサービスの提供に気づかせ、操作により表示させる映像の変更をユーザーに促すことができる。また、通知情報が出力される期間がマルチビューサービスの提供期間の一部に限られるため、通知情報の表示によってユーザーによる番組の視聴が妨げられないことと両立することができる。
【００３９】
また、マルチビューサービスの提供期間の一部は、サービス検出部３３２がマルチビューサービスの提供番組の開始を検出した時点からの所定の継続時間内の期間である。
この構成により、ユーザーは、マルチビューサービスが提供される番組の開始を契機にマルチビューサービスの存在と、操作により表示させる映像が変更可能であることに気付くことができる。そのため、ユーザーにはマルチビューサービスを享受できる機会が十分に与えられる。
【００４０】
（第２の実施形態）
次に、本発明の第２の実施形態について説明する。上述した説明と同一の構成については、同一の符号を付して説明を援用する。  
受信装置３１は、サービス検出部３３２に代えてサービス検出部３３２ａ（図示せず）を備える。サービス検出部３３２ａは、ＭＰＴに代えてＭＨ−イベント情報テーブル（ＭＨ−ＥＩＴ：ＭＨ−Ｅｖｅｎｔ  Ｉｎｆｏｒｍａｔｉｏｎ  Ｔａｂｌｅ）を用いてマルチビューサービスが提供されるか否かを判定する。
【００４１】
ＭＨ−ＥＩＴは、送信装置１１から受信される構成情報の構成要素の一つであり、放送される番組の名称、放送日時、等の番組に関する情報を表す。本実施形態では、送信装置１１の構成情報生成部１１２は、マルチビューサービスを提供する番組（イベント）について、記述子領域（ｄｅｓｃｒｉｐｔｏｒ（））に、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））を記述したＥＩＴを生成する。ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））には、複数のコンポーネントグループ識別（ｃｏｍｐｏｎｅｎｔ＿ｇｒｏｕｐ＿ｉｄ）のそれぞれについて、それぞれ異なる映像データを示すコンポーネントタグ値（ｃｏｍｐｏｎｅｎｔ＿ｔａｇ）が記述される。但し、ＭＰＴでは、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））が省略されてもよい。構成情報生成部１１２は、このように生成されたＭＨ−ＥＩＴを含む構成情報を多重化部１１３に出力する。
【００４２】
そこで、サービス検出部３３２ａは、ＭＨ−ＥＩＴの記述子領域（ｄｅｓｃｒｉｐｔｏｒ（））にＭＨ−コンポーネントグループ記述子（ＭＨ−Ｃｏｍｐｏｎｅｎｔ＿Ｇｒｏｕｐ＿Ｄｅｓｃｒｉｐｔｏｒ（））が記述されているか否かを判定する。当該記述子が記述されている場合、サービス検出部３３２は、ＭＨ−コンポーネントグループ記述子（ＭＨ−Ｃｏｍｐｏｎｅｎｔ＿Ｇｒｏｕｐ＿Ｄｅｓｃｒｉｐｔｏｒ（））において、複数のコンポーネントグループ識別（ｃｏｍｐｏｎｅｎｔ＿ｇｒｏｕｐ＿ｉｄ）のそれぞれについて、それぞれ異なる映像データを示すコンポーネントタグ値（ｃｏｍｐｏｎｅｎｔ＿ｔａｇ）が記述されているか否かを判定する。サービス検出部３３２は、当該タグ値が記述されている場合、マルチビューサービスが提供されると判定し、記述されていない場合、マルチビューサービスが提供されないと判定する。
【００４３】
（ＭＨ−ＥＩＴのデータ構造）
次に、構成情報に含まれるＭＨ−ＥＩＴの例について説明する。
図１０は、ＭＨ−ＥＩＴの例を示す図である。図１０に示す例では、ＭＨ−ＥＩＴは、イベント識別（ｅｖｅｎｔ＿ｉｄ）、開始時刻（ｓｔａｒｔ＿ｔｉｍｅ）、継続時間（ｄｕｒａｔｉｏｎ）及び記述子領域（ｄｅｓｃｒｉｐｔｏｒ（））を含む。イベント識別（ｅｖｅｎｔ＿ｉｄ）には、個々のイベント（番組）の識別番号が記述される。開始時刻（ｓｔａｒｔ＿ｔｉｍｅ）、継続時間（ｄｕｒａｔｉｏｎ）には、そのイベント（番組）の開始時刻、継続時間がそれぞれ記述される。従って、サービス通知部３３３は、これらの情報を読み取ることにより、番組の開始時刻、終了時刻を知得し、放送状態(開始前、放送中、終了済) を判定することができる。記述子領域（ｄｅｓｃｒｉｐｔｏｒ（））は、上述したＭＨ−コンポーネントグループ記述子（ＭＨ−Ｃｏｍｐｏｎｅｎｔ＿Ｇｒｏｕｐ＿Ｄｅｓｃｒｉｐｔｏｒ（））が記述される領域である。
【００４４】
（受信処理）
次に、本実施形態に係る受信処理について説明する。
図１１は、本実施形態に係る受信処理を示すフローチャートである。本実施形態に係る受信処理は、ステップＳ１０１、Ｓ１０２ａ、Ｓ１０３、及びＳ１０４−Ｓ１０８を含む。ステップＳ１０１、Ｓ１０３及びＳ１０４−Ｓ１０８の処理は、図９に示すものと同様であるため、それらの説明を援用する。
図１１に示す処理では、ステップＳ１０１の処理が終了した後、ステップＳ１０２ａに進む。
（ステップＳ１０２ａ）サービス検出部３３２ａは、分離された構成情報からＭＨ−ＥＩＴを検出し、検出したＭＨ−ＥＩＴを解析し複数の映像を有する番組が放送されるサービスであるマルチビューサービスが提供されるか否かを判定する。その後、ステップＳ１０３に進む。
【００４５】
以上に説明したように、本実施形態に係る受信装置３１は、受信した構成情報のうちＭＨ−ＥＩＴから１つの番組で複数の映像が提供されるマルチビューサービスの存在を検出するサービス検出部３３２ａを備える。また、受信装置３１は、複数の映像間で表示させる映像が操作により変更可能であることを示す通知情報をマルチビューサービスの期間の一部において表示部３１７に出力するサービス通知部３３３を備える。
この構成により、マルチビューサービスの提供に気づかせ、操作により表示させる映像の変更をユーザーに促すことと、通知情報の表示によってユーザーによる番組の視聴が妨げられないこと、を両立することができる。また、ＭＨ−ＥＩＴから１つの番組で複数の映像が提供されるマルチビューサービスの存在を番組単位で効率的に検出することができる。
【００４６】
（第３の実施形態）
次に、本発明の第３の実施形態について説明する。上述した説明と同一の構成については、同一の符号を付して説明を援用する。  
受信装置３１は、サービス検出部３３２に代えてサービス検出部３３２ｂ（図示せず）を備える。サービス検出部３３２ｂは、音声復号部３１４から入力された音声データに基づいて、無音区間を検出したか否かを判定する。サービス検出部３３２ｂは、例えば、音声データが示す音声のレベルの絶対値が、所定のレベルの閾値よりも低い状態が、所定の継続時間（例えば、５０ｍｓ）よりも長く継続している区間を無音区間と判定する。所定のレベルの閾値は、レベルが有意に０よりも高いと判定される値、例えば、処理に伴うノイズのレベルと同等な値である。無音区間は、同一チャンネルで放送される番組が切り替わる際に発生する。サービス検出部３３２ｂが、無音区間を検出したと判定した場合、読み取った通知情報を表示部３１７に出力する。
【００４７】
なお、マルチビューサービスの提供を示すＭＨ−ＥＩＴは、その対象番組の開始前に受信される。そのため、サービス通知部３３３は、サービス検出部３３２においてＭＨ−ＥＩＴに基づいてマルチビューサービスが提供されると判定され、無音区間が検出されたとき、当該サービスが提供される番組の開始時刻になったと判定することができる。
また、マルチビューサービスが提供される番組の放送時間内に、マルチビューサービスが提供されない他の番組、例えば、広告番組（ＣＭ：Ｃｏｍｍｅｒｃｉａｌ  Ａｄｖｅｒｔｉｓｅｍｅｎｔ）が挿入される場合がある。そのような場合においても、サービス通知部３３３は、受信した構成情報を参照しなくてもマルチビューサービスが提供されない他の番組からマルチビューサービスが提供される番組への切り替えを検出することができる。
【００４８】
（受信処理）
次に、本実施形態に係る受信処理について説明する。
図１２は、本実施形態に係る受信処理を示すフローチャートである。
本実施形態に係る受信処理は、ステップＳ１０１−Ｓ１０４、Ｓ１０５ｂ、及びＳ１０６−Ｓ１０８を含む。ステップＳ１０１−Ｓ１０４及びＳ１０６−Ｓ１０８の処理は、図９に示すものと同様であるため、それらの説明を援用する。
図１２に示す処理では、ステップＳ１０４の処理が終了した後、ステップＳ１０５ｂに進む。
（ステップＳ１０５ｂ）サービス検出部３３２ｂは、音声復号部３１４から入力された音声データに基づいて、無音区間を検出したか否かを判定する。無音区間を検出したと判定されたとき（ステップＳ１０５ｂ  ＹＥＳ）、ステップＳ１０６に進む。無音区間を検出していないと判定されたとき（ステップＳ１０５ｂ  ＮＯ）、ステップＳ１０５ｂの処理を繰り返す。
【００４９】
以上に説明したように、本実施形態に係る受信装置３１は、復号された音声データに基づいて無音区間を検出するサービス検出部３３２ｂを備える。また、受信装置３１は、複数の映像間で表示させる映像が操作により変更可能であることを示す通知情報を、無音区間を検出してから所定の継続期間において表示部３１７に出力するサービス通知部３３３を備える。
この構成により、マルチビューサービスが提供されない番組から提供される番組への変化が検出され、その変化をユーザーに気づかせ、操作により表示させる映像の変更をユーザーに促すことと、通知情報の表示によってユーザーによる番組の視聴が妨げられないこと、を両立することができる。
【００５０】
（第４の実施形態）
次に、本発明の第４の実施形態について説明する。上述した説明と同一の構成については、同一の符号を付して説明を援用する。  
受信装置３１は、サービス通知部３３３に代えてサービス通知部３３３ｃを備える。サービス通知部３３３ｃは、マルチビューサービスが提供される番組の放送中において現時刻がマルチビューサービスを提供する番組の開始時刻から所定の経過時間（例えば、１５分）を経過したか否かを判定する。所定の経過時間を経過したと判定されたとき、サービス通知部３３３ｃは、読み取った通知情報を表示部３１７に出力する。そのため、ユーザーに、当該番組の開始から相当時間が経過しても、マルチビューサービスの存在と、操作により表示させる映像が変更可能であることを気付かせることができる。
【００５１】
（受信処理）
次に、本実施形態に係る受信処理について説明する。
図１３は、本実施形態に係る受信処理を示すフローチャートである。
本実施形態に係る受信処理は、ステップＳ１０１−Ｓ１０４、Ｓ１０５ｃ、及びＳ１０６−Ｓ１０８を含む。ステップＳ１０１−Ｓ１０４及びＳ１０６−Ｓ１０８の処理は、図９に示すものと同様であるため、それらの説明を援用する。
図１３に示す処理では、ステップＳ１０４の処理が終了した後、ステップＳ１０５ｃに進む。
（ステップＳ１０５ｃ）サービス通知部３３３ｃは、マルチビューサービスが提供される番組の放送中において現時刻がマルチビューサービスを提供する番組の開始時刻から所定の経過時間を経過したか否かを判定する。所定の経過時間を経過したと判定されたとき（ステップＳ１０５ｃ  ＹＥＳ）、ステップＳ１０６に進む。所定の経過時間を経過していないと判定されたとき（ステップＳ１０５ｃ  ＮＯ）、ステップＳ１０５ｃの処理を繰り返す。
【００５２】
以上に説明したように、本実施形態において、マルチビューサービスの提供期間の一部は、サービス検出部３３２が前記マルチビューサービスの提供番組の開始を検出した時点から所定の経過時間後からの所定の継続時間内の期間である。
この構成により、ユーザーは、マルチビューサービスが提供される番組の開始から所定の経過時間後であっても、マルチビューサービスの存在と、操作により表示させる映像が変更可能であることに気づくことができる。そのため、ユーザーは、マルチビューサービスを享受する機会を逸しない。
【００５３】
（第５の実施形態）
次に、本発明の第５の実施形態について説明する。上述した説明と同一の構成については、同一の符号を付して説明を援用する。
送信装置１１の構成情報生成部１１２は、あるチャンネルで放送される番組についてマルチビューサービスの提供の有無を示す専用の信号であるマルチビューサービス提供フラグを取得する。構成情報生成部１１２は、取得したマルチビューサービス提供フラグを含む構成情報を生成し、生成した構成情報を多重化部１１３に出力する。即ち、構成情報には、マルチビューサービス提供フラグを記述するためのビットフィールドが設けられる。
【００５４】
受信装置３１は、サービス検出部３３２に代えてサービス検出部３３２ｄを備える。サービス検出部３３２ｄは、分離部３１３から入力された構成情報にマルチビューサービス提供フラグが含まれるか否かを判定する。サービス検出部３３２ｄは、マルチビューサービス提供フラグが含まれると判定した場合、サービス通知部３３３は、読み取った通知情報を表示部３１７に出力する。これにより、番組提供者は、予め計画した番組の放送予定に拘束されずにマルチビューサービスの存在を受信装置３１に伝達することができる。
【００５５】
（受信処理）
次に、本実施形態に係る受信処理について説明する。
図１４は、本実施形態に係る受信処理を示すフローチャートである。本実施形態に係る受信処理は、ステップＳ１０１−Ｓ１０４、Ｓ１０５ｄ及びＳ１０６−Ｓ１０８を含む。ステップＳ１０１−Ｓ１０４及びＳ１０６−Ｓ１０８の処理は、図９に示すものと同様であるため、それらの説明を援用する。
図１４に示す処理では、ステップＳ１０４の処理が終了した後、ステップＳ１０５ｄに進む。
【００５６】
（ステップＳ１０５ｄ）サービス検出部３３２ｄは、分離部３１３から入力された構成情報にマルチビューサービス提供フラグが含まれるか（所定の信号を受信）否かを判定する。マルチビューサービス提供フラグが含まれると判定されたとき（ステップＳ１０５ｄ  ＹＥＳ）、ステップＳ１０６に進む。マルチビューサービス提供フラグが含まれていないと判定されたとき（ステップＳ１０５ｄ  ＮＯ）、ステップＳ１０５ｄの処理を繰り返す。
【００５７】
以上に説明したように、サービス検出部３３２ｄは、送信装置１１から受信した構成情報にマルチビューサービスの提供の有無を示すマルチビューサービス提供フラグが含まれるとき、マルチビューサービスの存在を検出する。
この構成により、番組提供者は、予め計画した番組の放送予定に拘束されずに、マルチビューサービスの存在を受信装置３１のユーザーに通知することができる。そのため、番組提供者は、マルチビューサービスをより柔軟に提供することができるとともに、ユーザーは、提供されたマルチビューサービスを享受する機会を逸しない。
【００５８】
（第６の実施形態）
次に、本発明の第６の実施形態について説明する。上述した説明と同一の構成については、同一の符号を付して説明を援用する。
受信装置３１は、サービス通知部３３３に代えてサービス通知部３３３ｅを備える。サービス通知部３３３ｅは、分離部３１３から入力された構成情報を参照してマルチビューサービスが提供される番組が継続しているか否かを判定する。サービス通知部３３３ｅは、当該番組が開始から所定の時間間隔（例えば、５分）継続する毎に、読み取った通知情報を所定の継続時間（例えば、３秒）表示部３１７に出力する。よって、通知情報は、当該時間間隔の経過毎に当該継続時間の間において表示される。なお、当該時間間隔は５分に限られず、当該番組の放送時間よりも短ければよい（例えば、３分）。また、当該継続時間は３秒に限られず、当該時間間隔よりも短く、ユーザーが通知情報の存在に気づき、操作に要する時間より長ければよい（例えば、５秒）。
【００５９】
（受信処理）
次に、本実施形態に係る受信処理について説明する。
図１５は、本実施形態に係る受信処理を示すフローチャートである。本実施形態に係る受信処理は、ステップＳ１０１−Ｓ１０８、Ｓ１０９ｅ及びＳ１１０ｅを含む。ステップＳ１０１−Ｓ１０８の処理は、図９に示すものと同様であるため、それらの説明を援用する。図１５に示す処理では、ステップＳ１０８の処理が終了した後、ステップＳ１０９ｅに進む。
【００６０】
（ステップＳ１０９ｅ）サービス通知部３３３ｅは、ステップＳ１０８の終了後、所定の時間（例えば、５分）経過したか否かを判定する。経過したと判定された場合（ステップＳ１０９ｅ  ＹＥＳ）、ステップＳ１１０ｅに進む。経過していないと判定された場合（ステップＳ１０９ｅ  ＮＯ）、ステップＳ１０９ｅの処理を繰り返す。
（ステップＳ１１０ｅ）サービス通知部３３３ｅは、複数の映像を有するマルチビューサービスが提供される番組が継続しているか否かを判定する。継続していると判定された場合（ステップＳ１１０ｅ  ＹＥＳ）、ステップＳ１０６に進む。終了したと判定された場合（ステップＳ１１０ｅ  ＮＯ）、図１５に示す処理を終了する。
【００６１】
以上に説明したように、本実施形態に係る受信装置３１において、サービス通知部３３３ｅは、マルチビューサービスが提供される番組が継続されるとき、通知情報を所定の時間間隔で、所定の継続時間の間、表示部３１７に出力する。
この構成により、マルチビューサービスが提供される番組の継続中に、マルチビューサービスの存在と、操作により表示させる映像が変更可能であることを示す通知情報が定期的に表示される。そのため、ユーザーは、マルチビューサービスを享受できる機会を逸しない。
【００６２】
（第７の実施形態）
次に、本発明の第７の実施形態について説明する。上述した説明と同一の構成については、同一の符号を付して説明を援用する。
受信装置３１は、サービス通知部３３３に代えてサービス通知部３３３ｆを備える。サービス通知部３３３ｆは、サービス通知部３３３ｅと同様な処理を実行する他、次の処理を実行する。サービス検出部３３２は、マルチビューサービスが提供される番組の放送時間内に、マルチビューサービスが提供されない番組（マルチビューサービス非提供番組）が放送されているか否かを判定する。当該判定において、サービス検出部３３２は、分離部３１３から入力された構成情報に含まれるＭＨ−ＥＩＴを参照してもよい。マルチビューサービス非提供番組が放送されている期間においては、マルチビューサービスが提供される番組は一時的に中断される。マルチビューサービス非提供番組は、例えば、ＣＭである。そこで、現時刻が、マルチビューサービスが提供される番組の開始から所定の時間間隔の周期になっても、サービス通知部３３３ｆは、マルチビューサービス非提供番組の放送中において通知情報の表示部３１７への出力を停止する。
【００６３】
（受信処理）
次に、本実施形態に係る受信処理について説明する。
図１６は、本実施形態に係る受信処理を示すフローチャートである。本実施形態に係る受信処理は、ステップＳ１０１−Ｓ１０８、Ｓ１０９ｅ、Ｓ１１０ｅ及びＳ１１１ｆを含む。ステップＳ１０１−Ｓ１０８の処理は、図９に示すものと同様であり、ステップＳ１０９ｅ、Ｓ１１０ｅの処理は、図１５に示すものと同様であるため、それらの説明を援用する。
【００６４】
図１６に示す処理では、ステップＳ１１０ｅにおいてサービス通知部３３３ｅによりマルチビューサービスが提供される番組が継続していると判定された場合（ステップＳ１１０ｅ  ＹＥＳ）、ステップＳ１１１ｆに進む。
（ステップＳ１１１ｆ）サービス検出部３３２は、マルチビューサービスが提供される番組の放送時間内に、マルチビューサービス非提供番組（例えば、ＣＭ）が放送されているか否かを判定する。マルチビューサービス非提供番組が放送されていると判定された場合（ステップＳ１１１ｆ  ＹＥＳ）、ステップＳ１０９ｅに進む。これにより、通知情報が出力されない。マルチビューサービス非提供番組が放送されていないと判定された場合（ステップＳ１１１ｆ  ＮＯ）、ステップＳ１０６に進む。その場合には、通知情報が出力される。
【００６５】
以上に説明したように、本実施形態に係る受信装置３１において、サービス通知部３３３ｆは、サービス検出部３３２が前記マルチビューサービスの提供番組の中断を検出するとき、通知情報の表示部３１７への出力を停止する。
この構成により、マルチビューサービスの提供が一時的に中断されるときには、通知情報が出力されないので、視聴者にマルチビューサービスが提供されないことを通知し、映像を選択するための無用な操作を回避することができる。
【００６６】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００６７】
例えば、受信装置３１のサービス通知部３３３、３３３ｃ、３３３ｅ、３３３ｆが通知情報を表示部３１７に出力する継続時間が、所定の継続時間（主に３秒）である場合を例にしたが、この例には限られない。通知情報を出力する継続時間は、放送されている番組の放送時間と番組の内容のいずれか又は両者に応じて可変であってもよい。サービス通知部３３３、３３３ｃ、３３３ｅ、３３３ｆは、分離部３１３から入力された構成情報からＭＨ−ＥＩＴを検出し、検出したＭＨ−ＥＩＴから継続時間（ｄｕｒａｔｉｏｎ）を読み取ることによって、放送されている番組の継続時間を特定することができる。また、サービス通知部３３３、３３３ｃ、３３３ｅ、３３３ｆは、検出したＭＨ−ＥＩＴの記述子領域（ｄｅｓｃｒｉｐｔｏｒ（））に記述されたＭＨ−コンテント記述子（ＭＨ−Ｃｏｎｔｅｎｔ−Ｄｅｓｃｒｉｐｔｏｒ（））を読み取ることによって、放送されている番組の内容（ジャンル）を判定することができる。但し、送信装置１１の構成情報生成部１１２は、番組のジャンルを示すＭＨ−コンテント記述子（ＭＨ−Ｃｏｎｔｅｎｔ−Ｄｅｓｃｒｉｐｔｏｒ（））が記述子領域（ｄｅｓｃｒｉｐｔｏｒ（））に記述されたＭＨ−ＥＩＴを含んだ構成情報を生成する。
【００６８】
そして、サービス通知部３３３、３３３ｃ、３３３ｅ、３３３ｆは、例えば、当該番組の継続時間が所定の継続時間（例えば、５分）よりも短い場合、又は当該番組の内容が所定の内容である場合には、当該番組の継続時間の全部において通知情報を出力してもよい。所定の内容の番組は、例えば、ゴルフ、サッカー、長距離走、等のように同時に複数の競技者（出演者）が異なる場所に所在する内容や、同時に多数の観客がそれぞれ異なる視点で視認されることが通例である内容を有する番組である。
このようにして、サービス通知部３３３、３３３ｃ、３３３ｅ、３３３ｆは、ＭＨ−ＥＩＴに基づいて通知情報を出力する継続時間を制御することができる。従って、放送事業者や番組制作者の意図に応じて視聴者にマルチビューサービスの提供に係るお知らせの表示の有無や、その表示期間が制御される。
【００６９】
また、受信装置３１において、再生部３１５が省略されてもよい。また、第１、２、４−７の実施形態において、音声復号部３１４が省略されてもよい。
受信装置３１は、サービス検出部３３２、３３２ａ、３３２ｂ、３３２ｄのいずれか、それらの一部の任意の組、または、それらの全てを備えてもよい。また、受信装置３１は、サービス通知部３３３、３３３ｃ、３３３ｅ、３３３ｆのいずれか、それらの一部の任意の組、または、それらの全てを備えてもよい。また、図９、１１、１２のいずれかに示す処理の後に、図１３のステップＳ１０５ｃ〜Ｓ１０８の処理が行われてもよい。
上述した実施形態では、各種のデータを伝送するための伝送方式として、ＭＰＥＧ−Ｈで規定されたＭＭＴ（ＭＰＥＧ  Ｍｅｄｉａ  Ｔｒａｎｓｐｏｒｔ）によるメディアトランスポート方式が用いる場合を例にしたが、その他の伝送方式、例えば、ＭＰＥＧ−２  Ｓｙｓｔｅｍｓで規定された方式が用いられてもよい。また、伝送に係るデータ形式、暗号化方式、符号化方式も、その伝送方式で規定された形式または方式が用いられてもよい。
【００７０】
また、上述した実施形態における送信装置１１の一部、受信装置３１の一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００７１】
なお、本発明は次の態様でも実施することができる。
（１）受信したデータから１つの番組で複数の映像が提供されるマルチビューサービスの存在を検出する検出部と、前記複数の映像間で表示させる映像が操作により変更可能でることを示す通知情報を前記マルチビューサービスの期間の一部において出力する通知部と、を備える受信装置。
【００７２】
（２）前記期間の一部は、前記検出部が前記マルチビューサービスの提供番組の開始を検出した時点からの所定の継続時間内の期間である（１）の受信装置。
【００７３】
（３）前記期間の一部は、前記検出部が前記マルチビューサービスの提供番組の開始を検出した時点から所定の経過時間後からの所定の継続時間内の期間である（１）の受信装置。
【００７４】
（４）前記検出部は、前記受信したデータに前記マルチビューサービスの提供の有無を示すマルチビューサービス信号が含まれるとき、前記マルチビューサービスの存在を検出する（１）から（３）のいずれかの受信装置。
【００７５】
（５）前記通知部は、前記マルチビューサービスの提供番組が継続されるとき、前記通知情報を所定の時間間隔で出力する（１）から（４）のいずれかの受信装置。
【００７６】
（６）前記通知部は、前記検出部が前記マルチビューサービスの提供番組の中断を検出するとき、前記通知情報の出力を停止する（１）から（５）のいずれかの受信装置。
【００７７】
（７）データを送信する送信装置と、前記データを受信する受信装置とを備える放送システムであって、前記受信装置は、受信したデータから１つの番組で複数の映像が提供されるマルチビューサービスの存在を検出する検出部と、前記複数の映像間で表示させる映像が操作により変更可能であることを示す通知情報を前記マルチビューサービスの期間の一部において出力する通知部と、を備える放送システム。
【００７８】
（８）受信装置における受信方法であって、受信したデータから１つの番組で複数の映像が提供されるマルチビューサービスの存在を検出する検出過程と、前記複数の映像間で表示させる映像が操作により変更可能であることを示す通知情報を前記マルチビューサービスの期間の一部において出力する通知過程と、を有する受信方法。
【００７９】
（９）受信装置のコンピュータに、受信したデータから１つの番組で複数の映像が提供されるマルチビューサービスの存在を検出する手順、前記複数の映像間で表示させる映像が操作により変更可能であることを示す通知情報を前記マルチビューサービスの期間の一部において出力する手順、を実行させるためのプログラム。
【符号の説明】
【００８０】
１…放送システム、１１…送信装置、１１１…番組データ生成部、１１２…構成情報生成部、１１３…多重化部、１１４…暗号化部、１１５…送信部、１２…放送伝送路、１３…放送衛星、３１…受信装置、３１１…受信部、３１２…復号部、３１３…分離部、３１４…音声復号部、３１５…再生部、３１６…映像復号部、３１７…表示部、３２２…記憶部、３２３…操作入力部、３３１…制御部、３３２、３３２ａ、３３２ｂ、３３２ｄ…サービス検出部、３３３、３３３ｃ、３３３ｅ、３３３ｆ…サービス通知部、３３４、３３４ａ、３３４ｂ、３３４…映像選択部
【図１】
2016092719.tif 000003
【図２】
2016092719.tif 000004
【図３】
2016092719.tif 000005
【図４】
2016092719.tif 000006
【図５】
2016092719.tif 000007
【図６】
2016092719.tif 000008
【図７】
2016092719.tif 000009
【図８】
2016092719.tif 000010
【図９】
2016092719.tif 000011
【図１０】
2016092719.tif 000012
【図１１】
2016092719.tif 000013
【図１２】
2016092719.tif 000014
【図１３】
2016092719.tif 000015
【図１４】
2016092719.tif 000016
【図１５】
2016092719.tif 000017
【図１６】
2016092719.tif 000018